(57)【要約】【課題】  リアルタイムな音声、画像の再生のためには、訂正不能のデータであってもデコードする必要があるが、スクランブルシードに誤訂正が発生した場合、このデータのデコードを行うと映像や音声が乱れる。【解決手段】  復調時に、スクランブルシードを含むＤａｔａＩＤの誤りを検出するＩＥＤをチェックしてＤａｔａＩＤの信頼性を判断し、信頼性が確保されたＤａｔａＩＤの値を、ＣＰＵなどにより復調データのバッファリングとは別領域に格納する。誤り訂正後、誤り訂正が実行されたＤａｔａＩＤについて、前記別領域に格納したＤａｔａＩＤの値に上書きする。これにより、ＤａｔａＩＤが誤訂正されても、信頼できるＤａｔａＩＤを使用することができ、スクランブルシードが信頼できる状態でデスクランブルを行うことができる。また信頼性を確保する手段はアドレスの連続性を確認する方法がある。【選択図】図３
2005302078.tif 000002
【特許請求の範囲】
【請求項１】
誤り訂正符号が付加された複数のデータブロックからなるディジタルデータを復調する復調手段と、
前記各データブロックに存在しデスクランブル処理に用いるスクランブルシードを含むＤａｔａＩＤの信頼性を判断するＤａｔａＩＤ判断手段と、
前記復調手段により復調されたデータをデータブロック単位で格納する第１の記憶手段と、
前記ＤａｔａＩＤ判断手段にて信頼性があると判断されたＤａｔａＩＤを格納する第２の記憶手段と、
前記第１の記憶手段に格納されたデータの誤り訂正を行う誤り訂正手段と、
前記誤り訂正手段にて誤り訂正が実行されたデータのうち、前記第２の記憶手段に格納されたＤａｔａＩＤに対応するＤａｔａＩＤについて、該第２の記憶手段に格納されたＤａｔａＩＤに上書き更新するデータ制御手段と、
前記第１の記憶手段に格納されたデータをデスクランブルするデスクランブル手段とを備えた、
ことを特徴とする情報再生装置。
【請求項２】
請求項１に記載の情報再生装置において、
前記ＤａｔａＩＤ判断手段は、
ＤａｔａＩＤの誤りを検出するＩＥＤ（ID Error Detection Code）をチェックして前記ＤａｔａＩＤの信頼性を判断するものである、
ことを特徴とする情報再生装置。
【請求項３】
請求項１に記載の情報再生装置において、
前記ＤａｔａＩＤ判断手段は、
隣り合うデータブロックにおいてＤａｔａＩＤが連続していることを確認して前記ＤａｔａＩＤの信頼性を判断するものである、
ことを特徴とする情報再生装置。
【請求項４】
請求項１ないし３のいずれかに記載の情報再生装置において、
前記第２の記憶手段は、
前記ＤａｔａＩＤ判断手段の判断結果を格納するとともに、信頼性のないＤａｔａＩＤも格納するものであり、
前記データ制御手段は、
前記第２の記憶手段から前記ＤａｔａＩＤの信頼性があるという判断結果を得た場合、前記上書き更新を行い、
前記第２の記憶手段から前記ＤａｔａＩＤの信頼性がないという判断結果を得た場合、前記第２の記憶手段に格納されたＤａｔａＩＤと、前記誤り訂正手段にて誤り訂正が実行されたＤａｔａＩＤとを比較し、該誤り訂正の実行後の該ＤａｔａＩＤが誤り訂正されていない場合、該ＤａｔａＩＤと同じ領域のデータの再度読み直しを指示するものである、
ことを特徴とする情報再生装置。
【請求項５】
誤り訂正符号が付加された複数のデータブロックからなるディジタルデータを復調する復調ステップと、
前記各データブロックに存在しデスクランブル処理に用いるスクランブルシードを含むＤａｔａＩＤの信頼性を判断するＤａｔａＩＤ判断ステップと、
前記復調ステップにより復調されたデータをデータブロック単位で格納する第１の記憶ステップと、
前記ＤａｔａＩＤ判断ステップにて信頼性があると判断されたＤａｔａＩＤを格納する第２の記憶ステップと、
前記第１の記憶ステップで格納されたデータの誤り訂正を行う誤り訂正ステップと、
前記誤り訂正ステップで誤り訂正が実行されたデータのうち、前記第２の記憶ステップで格納されたＤａｔａＩＤに対応するＤａｔａＩＤについて、該第２の記憶ステップで格納されたＤａｔａＩＤに上書き更新するデータ制御ステップと、
前記第１の記憶ステップで格納されたデータをデスクランブルするデスクランブルステップとを備えた、
ことを特徴とする情報再生方法。
【請求項６】
請求項５に記載の情報再生方法において、
前記ＤａｔａＩＤ判断ステップは、
ＤａｔａＩＤの誤りを検出するＩＥＤ（ID Error Detection Code）をチェックして前記ＤａｔａＩＤの信頼性を判断するものである、
ことを特徴とする情報再生方法。
【請求項７】
請求項５に記載の情報再生方法において、
前記ＤａｔａＩＤ判断ステップは、
隣り合うデータブロックにおいてＤａｔａＩＤが連続していることを確認して前記ＤａｔａＩＤの信頼性を判断するものである、
ことを特徴とする情報再生方法。
【請求項８】
請求項５ないし７のいずれかに記載の情報再生方法において、
前記第２の記憶ステップは、
前記ＤａｔａＩＤ判断ステップの判断結果を格納するとともに、信頼性のないＤａｔａＩＤも格納するものであり、
前記データ制御ステップは、
前記ＤａｔａＩＤの信頼性があるという判断結果を得た場合、前記上書き更新を行い、
前記ＤａｔａＩＤに信頼性がないという判断結果を得た場合、前記第２の記憶ステップで格納されたＤａｔａＩＤと、前記誤り訂正ステップにて誤り訂正が実行されたＤａｔａＩＤとを比較し、該誤り訂正の実行後の該ＤａｔａＩＤが誤り訂正されていない場合、該ＤａｔａＩＤと同じ領域のデータの再度読み直しを指示するものである、
ことを特徴とする情報再生方法。
【発明の詳細な説明】
【技術分野】
【０００１】
本発明は、誤り訂正を行う情報再生装置、及び情報再生方法に係り、特に通信データや、光ディスクなどの情報記録再生データにおける、誤り訂正対象の領域にシードデータを含むデジタル処理を行う情報再生装置、及び情報再生方法に関するものである。
【背景技術】
【０００２】
誤り訂正を行う情報再生装置においては、誤り訂正が終了した後、訂正不能と判断された場合においては、訂正可能になるまで再生装置からデータを読み取り直し、誤り訂正を行う。誤り訂正を行い、誤り検出で誤りが発見されなかった場合には、正常なデータとしてデスクランブル処理を行い、デコード処理を行い音声や画像などにする（例えば特許文献１）。しかし、例えば、ディスクの形状や表面の埃、傷などにより、訂正不能となる状態が繰り返される場合や、誤り検出される場合は、リアルタイム処理が必要な映像や音声の再生の中断を防ぐために、訂正不能のままデスクランブル処理を行い、デコーダ装置側にデータ転送を行うことがある。このため、デコーダ側は、たとえ誤ったデータであったとしても、音声や画像などにフィルタ処理を施すことにより平滑化を行い、再生について、致命的な影響を与えないように処理する
【０００３】
また、復調したデータに対して誤り訂正を行った後、デスクランブル処理を行うが、デスクランブル処理は、図５のＤＶＤの１セクタフォーマットに示すように、データブロック単位（セクタ）５０１ごとに、セクタ内のＤａｔａＩＤ５０２領域内に存在するデスクランブル処理を行うためのスクランブルシード５０４を種として用いる。もし、この領域の値が誤った場合には、セクタ５０１内すべてのデスクランブルが誤って行われる。一方、誤り訂正時にデータの並びや内容により誤訂正を行うことがある。誤訂正が発生した場合と正常に訂正された場合とを誤り訂正の段階で区別をつけることが難しいため、誤り検出（以下ＥＤＣと呼ぶ）を行うことができるのは、デスクランブル処理を行った後の処理となる。
【発明の開示】
【発明が解決しようとする課題】
【０００４】
しかしながら、スクランブルシード５０４を誤訂正した場合、誤ったスクランブルシード５０４でデスクランブル処理が行われるため、セクタ単位でデータがほぼ全領域で誤る。このため、このデータに対してデコード処理を行ったとしても、本来の目的であるリアルタイム処理に必要な音声や画像のデータは得られなくなり、画像や音声に音飛び、映像の一時中断などの深刻な影響を与えるという問題があった。
【０００５】
本発明は上記のような問題を解決するために為されたものであり、訂正不能であってもデコーダ処理を行う場合に、信頼性の高いデータを転送し、リアルタイムに映像や音声を再生することのできる情報再生装置、及び情報再生方法を提供することを目的とする。
【特許文献１】特開２００１−２７３７２９号公報
【課題を解決するための手段】
【０００６】
上記問題を解決するために、本発明の請求項１に係る情報再生装置は、誤り訂正符号が付加された複数のデータブロックからなるディジタルデータを復調する復調手段と、前記各データブロックに存在しデスクランブル処理に用いるスクランブルシードを含むＤａｔａＩＤの信頼性を判断するＤａｔａＩＤ判断手段と、前記復調手段により復調されたデータをデータブロック単位で格納する第１の記憶手段と、前記ＤａｔａＩＤ判断手段にて信頼性があると判断されたＤａｔａＩＤを格納する第２の記憶手段と、前記第１の記憶手段に格納されたデータの誤り訂正を行う誤り訂正手段と、前記誤り訂正手段にて誤り訂正が実行されたデータのうち、前記第２の記憶手段に格納されたＤａｔａＩＤに対応するＤａｔａＩＤについて、該第２の記憶手段に格納されたＤａｔａＩＤに上書き更新するデータ制御手段と、前記第１の記憶手段に格納されたデータをデスクランブルするデスクランブル手段とを備えたものである。
【０００７】
また、本発明の請求項２に係る情報再生装置は、請求項１に記載の情報再生装置において、前記ＤａｔａＩＤ判断手段は、ＤａｔａＩＤの誤りを検出するＩＥＤ（ID Error Detection Code）をチェックして前記ＤａｔａＩＤの信頼性を判断するものである。
【０００８】
また、本発明の請求項３に係る情報再生装置は、請求項１に記載の情報再生装置において、前記ＤａｔａＩＤ判断手段は、隣り合うデータブロックにおいてＤａｔａＩＤが連続していることを確認して前記ＤａｔａＩＤの信頼性を判断するものである。
【０００９】
また、本発明の請求項４に係る情報再生装置は、請求項１ないし３のいずれかに記載の情報再生装置において、前記第２の記憶手段は、前記ＤａｔａＩＤ判断手段の判断結果を格納するとともに、信頼性のないＤａｔａＩＤも格納するものであり、前記データ制御手段は、前記第２の記憶手段から前記ＤａｔａＩＤの信頼性があるという判断結果を得た場合、前記上書き更新を行い、前記第２の記憶手段から前記ＤａｔａＩＤの信頼性がないという判断結果を得た場合、前記第２の記憶手段に格納されたＤａｔａＩＤと、前記誤り訂正手段にて誤り訂正が実行されたＤａｔａＩＤとを比較し、該誤り訂正の実行後の該ＤａｔａＩＤが誤り訂正されていない場合、該ＤａｔａＩＤと同じ領域のデータの再度読み直しを指示するものである。
【００１０】
また、本発明の請求項５に係る情報再生方法は、誤り訂正符号が付加された複数のデータブロックからなるディジタルデータを復調する復調ステップと、前記各データブロックに存在しデスクランブル処理に用いるスクランブルシードを含むＤａｔａＩＤの信頼性を判断するＤａｔａＩＤ判断ステップと、前記復調ステップにより復調されたデータをデータブロック単位で格納する第１の記憶ステップと、前記ＤａｔａＩＤ判断ステップにて信頼性があると判断されたＤａｔａＩＤを格納する第２の記憶ステップと、前記第１の記憶ステップで格納されたデータの誤り訂正を行う誤り訂正ステップと、前記誤り訂正ステップで誤り訂正が実行されたデータのうち、前記第２の記憶ステップで格納されたＤａｔａＩＤに対応するＤａｔａＩＤについて、該第２の記憶ステップで格納されたＤａｔａＩＤに上書き更新するデータ制御ステップと、前記第１の記憶ステップで格納されたデータをデスクランブルするデスクランブルステップとを備えたものである。
【００１１】
また、本発明の請求項６に係る情報再生方法は、請求項５に記載の情報再生方法において、前記ＤａｔａＩＤ判断ステップは、ＤａｔａＩＤの誤りを検出するＩＥＤ（ID Error Detection Code）をチェックして前記ＤａｔａＩＤの信頼性を判断するものである。
【００１２】
また、本発明の請求項７に係る情報再生方法は請求項５に記載の情報再生方法において、前記ＤａｔａＩＤ判断ステップは、隣り合うデータブロックにおいてＤａｔａＩＤが連続していることを確認して前記ＤａｔａＩＤの信頼性を判断するものである。
【００１３】
また、本発明の請求項８に係る情報再生方法は、請求項５ないし７のいずれかに記載の情報再生方法において、前記第２の記憶ステップは、前記ＤａｔａＩＤ判断ステップの判断結果を格納するとともに、信頼性のないＤａｔａＩＤも格納するものであり、前記データ制御ステップは、前記ＤａｔａＩＤの信頼性があるという判断結果を得た場合、前記上書き更新を行い、前記ＤａｔａＩＤに信頼性がないという判断結果を得た場合、前記第２の記憶ステップで格納されたＤａｔａＩＤと、前記誤り訂正ステップにて誤り訂正が実行されたＤａｔａＩＤとを比較し、該誤り訂正の実行後の該ＤａｔａＩＤが誤り訂正されていない場合、該ＤａｔａＩＤと同じ領域のデータの再度読み直しを指示するものである。
【発明の効果】
【００１４】
本発明の請求項１に係る情報再生装置によれば、誤り訂正符号が付加された複数のデータブロックからなるディジタルデータを復調する復調手段と、前記各データブロックに存在しデスクランブル処理に用いるスクランブルシードを含むＤａｔａＩＤの信頼性を判断するＤａｔａＩＤ判断手段と、前記復調手段により復調されたデータをデータブロック単位で格納する第１の記憶手段と、前記ＤａｔａＩＤ判断手段にて信頼性があると判断されたＤａｔａＩＤを格納する第２の記憶手段と、前記第１の記憶手段に格納されたデータの誤り訂正を行う誤り訂正手段と、前記誤り訂正手段にて誤り訂正が実行されたデータのうち、前記第２の記憶手段に格納されたＤａｔａＩＤに対応するＤａｔａＩＤについて、該第２の記憶手段に格納されたＤａｔａＩＤに上書き更新するデータ制御手段と、前記第１の記憶手段に格納されたデータをデスクランブルするデスクランブル手段とを備えたので、信頼できると判断されたＤａｔａＩＤの値が誤訂正されても、信頼できるＤａｔａＩＤを使用することができ、スクランブルシードが信頼できる状態でデスクランブルを行うことができる効果がある。これにより、リアルタイム処理において、たとえ訂正不能のデータであってもデコーダ装置のフィルタによって信号の平滑化を図り、映像や音声として再生することができる効果がある。
【００１５】
また、本発明の請求項２に係る情報再生装置によれば、請求項１に記載の情報再生装置において、前記ＤａｔａＩＤ判断手段は、ＤａｔａＩＤの誤りを検出するＩＥＤ（ID Error Detection Code）をチェックして前記ＤａｔａＩＤの信頼性を判断するものであるので、誤り訂正を行うデータブロックのＤａｔａＩＤが信頼できるか否かを確認することができる効果がある。
【００１６】
また、本発明の請求項３に係る情報再生装置によれば、請求項１に記載の情報再生装置において、前記ＤａｔａＩＤ判断手段は、隣り合うデータブロックにおいてＤａｔａＩＤが連続していることを確認して前記ＤａｔａＩＤの信頼性を判断するものであるので、誤り訂正を行うデータブロックのＤａｔａＩＤが信頼できるか否かを確認することができる効果がある。
【００１７】
また、本発明の請求項４に係る情報再生装置によれば、請求項１ないし３のいずれかに記載の情報再生装置において、前記第２の記憶手段は、前記ＤａｔａＩＤ判断手段の判断結果を格納するとともに、信頼性のないＤａｔａＩＤも格納するものであり、前記データ制御手段は、前記第２の記憶手段から前記ＤａｔａＩＤの信頼性があるという判断結果を得た場合、前記上書き更新を行い、前記第２の記憶手段から前記ＤａｔａＩＤの信頼性がないという判断結果を得た場合、前記第２の記憶手段に格納されたＤａｔａＩＤと、前記誤り訂正手段にて誤り訂正が実行されたＤａｔａＩＤとを比較し、該誤り訂正の実行後の該ＤａｔａＩＤが誤り訂正されていない場合、該ＤａｔａＩＤと同じ領域のデータの再度読み直しを指示するものであるので、デスクランブルシード領域の信頼性を確保することができる効果がある。
【００１８】
また、本発明の請求項５に係る情報再生方法によれば、誤り訂正符号が付加された複数のデータブロックからなるディジタルデータを復調する復調ステップと、前記各データブロックに存在し、デスクランブル処理に用いるスクランブルシードを含むＤａｔａＩＤの信頼性を判断するＤａｔａＩＤ判断ステップと、前記復調ステップにより復調されたデータをデータブロック単位で格納する第１の記憶ステップと、前記ＤａｔａＩＤ判断ステップにて信頼性があると判断されたＤａｔａＩＤを格納する第２の記憶ステップと、前記第１の記憶ステップで格納されたデータの誤り訂正を行う誤り訂正ステップと、前記誤り訂正ステップで誤り訂正が実行されたデータのうち、前記第２の記憶ステップで格納されたＤａｔａＩＤに対応するＤａｔａＩＤについて、該第２の記憶ステップで格納されたＤａｔａＩＤに上書き更新するデータ制御ステップと、前記第１の記憶ステップで格納されたデータをデスクランブルするデスクランブルステップとを備えたので、信頼できると判断されたＤａｔａＩＤの値が誤訂正されても、信頼できるＤａｔａＩＤを使用することができ、スクランブルシードが信頼できる状態でデスクランブルを行うことができる効果がある。これにより、リアルタイム処理において、たとえ訂正不能のデータであってもデコーダ装置のフィルタによって信号の平滑化を図り、映像や音声として再生することができる効果がある。
【００１９】
また、本発明の請求項６に係る情報再生方法によれば、請求項５に記載の情報再生方法において、前記ＤａｔａＩＤ判断ステップは、ＤａｔａＩＤの誤りを検出するＩＥＤ（ID Error Detection Code）をチェックして前記ＤａｔａＩＤの信頼性を判断するものであるので、誤り訂正を行うデータブロックのＤａｔａＩＤが信頼できるか否かを確認することができる効果がある。
【００２０】
また、本発明の請求項７に係る情報再生方法によれば、請求項５に記載の情報再生方法において、前記ＤａｔａＩＤ判断ステップは、隣り合うデータブロックにおいてＤａｔａＩＤが連続していることを確認して前記ＤａｔａＩＤの信頼性を判断するものであるので、誤り訂正を行うデータブロックのＤａｔａＩＤが信頼できるか否かを確認することができる効果がある。
【００２１】
また、本発明の請求項８に係る情報再生方法によれば、請求項５ないし７のいずれかに記載の情報再生方法において、前記第２の記憶ステップは、前記ＤａｔａＩＤ判断ステップの判断結果を格納するとともに、信頼性のないＤａｔａＩＤも格納するものであり、前記データ制御ステップは、前記ＤａｔａＩＤの信頼性があるという判断結果を得た場合、前記上書き更新を行い、前記ＤａｔａＩＤに信頼性がないという判断結果を得た場合、前記第２の記憶ステップで格納されたＤａｔａＩＤと、前記誤り訂正ステップにて誤り訂正が実行されたＤａｔａＩＤとを比較し、該誤り訂正の実行後の該ＤａｔａＩＤが誤り訂正されていない場合、該ＤａｔａＩＤと同じ領域のデータの再度読み直しを指示するものであるので、デスクランブルシード領域の信頼性を確保することができる効果がある。
【発明を実施するための最良の形態】
【００２２】
（実施の形態１）
以下、本発明の実施の形態について、図面に基づいて説明する。
図１は本発明の実施の形態１に係る情報再生装置である光ディスク再生装置１００を示すブロック図である。
【００２３】
図において、１０１は光ディスク、１０２は光ピックアップ、１０３はスピンドルモータ、１０４はドライバ回路、１０５はサーボブロック、１０６はＡ／Ｄ変換器、１０７は復調回路、１０８はＲＡＭインターフェース、１０９はＣＰＵ、１１０はＥＣＣ回路、１１１はＡＶデコーダ、１１２はＲＡＭ、１１３はＲＯＭである。なお、本実施の形態１において、データ構成は図５に示す複数のデータブロック単位（以降、セクタと呼ぶ）で構成されたものである。
【００２４】
図において、光ディスク１０１には、ディジタルデータが記録されており、光ディスク１０１はサーボブロック１０５によって制御されるスピンドルモータ１０３によって回転駆動され、またサーボブロック１０５によって制御される光ピックアップ１０２により光ディスク１０１からディジタルデータがアナログ再生信号として読み出される。光ピックアップ１０２によって読み出されたアナログ再生信号はＡ／Ｄ変換器１０６で２値化などの処理が行われて、これによりディジタルデータに変換した後、復調回路１０７に供給される。復調回路１０７においては、セクタ５０１の同期検出を行い、８／１６復調処理が行われ、誤り訂正に不要なデータを分離し、ＲＡＭインターフェース１０８を通じて、ＲＡＭ１１２に転送される。ＲＡＭ１１２にバッファリングされたデータは１６セクタであるＥＣＣブロック単位ごとにＥＣＣ回路１１０を用いて誤り訂正する。誤り訂正されたデータは、デスクランブルＥＤＣ回路１１４を経てＲＡＭ１１２上に展開する。ＡＶデコーダ１１１はこのデータをデコードすることにより、画像信号、音声信号に変換を行う。ＣＰＵ１０９はこれらの全体の処理をＲＯＭ１１３から読み出される命令により統括する。
【００２５】
次に復調回路１０７について説明する。図２は復調回路１０７を示すブロック図である。
まず、セクタ５０１の先頭をＳＹＮＣ検出部２０１により検出する。その後、８／１６復調部２０２により復調が行われ、復調を終えたデータのＤａｔａＩＤ５０２の信頼性を確認するために、ＩＥＤチェック部２０４によって、ＤａｔａＩＤの誤りを検出するＩＥＤ５０５のチェックを行う。復調したデータをアドレス生成部２０５が受けＤａｔａＩＤとする。そして、出力部２０３により復調出力データを出力し、セクタ毎のアドレス処理を終了したことをＣＰＵ１０９に通知する。
【００２６】
次に本発明の実施の形態１に係る光ディスク再生装置におけるアドレス処理終了後の動作について、図４のフローチャートを用いて説明する。
【００２７】
まず、アドレス処理終了の通知を受けたＣＰＵ１０９は、復調ブロックからＩＥＤチェックの結果とアドレス生成部２０５からＤａｔａＩＤの値などを取得する（ステップＳ４０１）。ＣＰＵ１０９は１６セクタ分のＤａｔａＩＤ５０２と、ＩＥＤチェックの結果とを受け取り、該ＩＥＤチェック結果、及びＤａｔａＩＤ５０２を、ＣＰＵ１０９からアクセス可能なＲＡＭ１１２における復調データのバッファリング領域とは別の領域に保持する（ステップＳ４０２）。そして該ＩＥＤチェック結果とＤａｔａＩＤとを１６セクタ分保持したならば（ステップＳ４０３）、ＲＡＭ１１２にバッファリングされたＥＣＣブロックがＥＣＣ回路１１０によって誤り訂正が完了されることを待つ（ステップＳ４０４）。そして、ステップＳ４０４にて誤り訂正が完了したことを確認した後、ＣＰＵ１０９が保持したＩＥＤチェック結果と、該誤り訂正を行ったＩＥＤ結果とをセクタごとに取出す（ステップＳ４０５）。そして、ステップＳ４０５で取り出したＩＥＤチェック結果を確認することによって、そのセクタに対するＩＥＤ結果が信頼できるものであるか否かを判断し（ステップＳ４０６）、このとき、そのセクタのＩＥＤ結果の信頼性が確認できているならば、ＲＡＭ１１２に格納されているＤａｔａＩＤ５０２領域の値と、ＣＰＵ１０９が保持しているＤａｔａＩＤ５０２領域の値とが異なる場合は、ステップＳ４０４での誤り訂正によってＲＡＭ１１２に格納されているＤａｔａＩＤ５０２領域の値が誤訂正されたものであるといえるので、ＲＡＭ１１２に格納されているＤａｔａＩＤ領域の値を、ＣＰＵ１０９によって保持したＤａｔａＩＤ領域の値に上書きする（ステップＳ４０７）。そして次のセクタについて処理を行う（ステップＳ４０８）。
【００２８】
また、これとは逆に、ステップＳ４０６において、ＩＥＤチェック結果を確認したとき、ＣＰＵにより、そのセクタのＩＥＤ結果が信頼できないと判断されたならば、ＲＡＭ１１２に格納されているＤａｔａＩＤの値と、ＣＰＵ１０９が保持したＤａｔａＩＤの値とを比較し、誤り訂正後において、ＲＡＭ１１２に格納されているＤａｔａＩＤ５０２領域の値が、ＣＰＵ１０９が保持したＤａｔａＩＤ５０２領域と異なる値に変更されているかを確認する（ステップＳ４０９）。ステップＳ４０９で、誤り訂正によりＤａｔａＩＤ５０２領域が訂正されていると確認したのであれば、ＣＰＵ１０９で保持した値と異なる値となっているはずであるので、その場合は信頼のおける状態であることが言えることになり、次のセクタについて処理を行う（ステップＳ４０８）。また、ステップＳ４０９で、ＣＰＵ１０９で保持した値と異なる値に変更されていないのであれば、訂正されていないと判断して、もう一度ディスク上の同じ領域について同様の読み出し手続きを繰り返す必要があるので、リトライ対象セクタとする。
【００２９】
そしてステップＳ４０８において、これらの処理を１６セクタ分行ったならば、デスクランブルＥＤＣ回路１１４にてデスクランブル処理を行う（ステップＳ４１０）。そして、デスクランブル処理後は、ＡＶデコーダ１１１にデータ転送を行い、映像や音声に関するデータであればフィルタなどの処理により、たとえ訂正不能のデータであっても再生を行う。
【００３０】
このように、ＩＥＤチェックを行って、信頼できるＤａｔａＩＤを使用することにより、スクランブルシードが信頼できる状態でデスクランブルを行うことができる。
【００３１】
また、スクランブルシードについては、セクタ番号５０３の領域の一部であり、この領域は隣り合うセクタで連続であることが知られている。したがって、ＩＥＤチェックを行う代わりに、このアドレスが連続であることを確認することにより信頼性を得ることができる。例えば、ＤａｔａＩＤ５０２の値が、００３０００００ｈ、００３００００１ｈ、００４０００００ｈ、００３００００３ｈなどの値が取得された場合には、明らかに００４０００００ｈにおいてはアドレスの連続性が確保されておらず、００３００００２ｈであることが予想される。
【００３２】
図４は、ＩＥＤチェックを行う代わりに、アドレスの連続性を確認して、ＤａｔａＩＤの信頼性を判断する動作を示す図であり、図３と異なる部分のみ説明を行う。
【００３３】
ステップＳ５０２において、ＣＰＵ１０９はアドレス情報の連続性確認結果、及びＤａｔａＩＤ５０２を、ＣＰＵ１０９からアクセス可能なＲＡＭ１１２における復調データのバッファリング領域とは別の領域に保持する。また、ステップＳ５０５においては、ステップＳ５０４で誤り訂正の終了を確認した後、ＣＰＵが保持したアドレス情報の連続性確認結果と、該誤り訂正を行ったＩＥＤ結果とをセクタ毎に取り出す。そして、ステップＳ５０６において、該取り出したアドレス情報の連続性確認結果を確認することによって、そのセクタに対するＩＥＤ結果が信頼できるものであるか否かを判断する。
【００３４】
このように、アドレス情報の連続性の確認を行って、信頼できるＤａｔａＩＤを使用することにより、スクランブルシードが信頼できる状態でデスクランブルを行うことができる。
【００３５】
なお、本実施の形態１において、ＩＥＤチェック、またはアドレスの連続性の確認によって、ＤａｔａＩＤの信頼性を判断するものとしたが、これらの処理を組み合わせて行ってもよい。
【００３６】
以上のような本発明の実施の形態１に係る情報再生装置は、デスクランブル処理を行う前に、ＩＥＤチェック結果の確認、またはアドレスの連続性を確認することにより、スクランブルシード領域を含むＤａｔａＩＤ領域の信頼性を判断するようにしたので、スクランブルシードが信頼できる状態でデスクランブルを行うことができ、リアルタイムに映像や音声を再生する場合に、訂正不能のデータであってもデコーダ装置のフィルタによって信号の平滑化を図ることができる。
【産業上の利用可能性】
【００３７】
本発明に係る情報再生装置は、ＩＥＤチェックの結果やセクタ番号が連続であることを確認したＤａｔａＩＤを使用することにより、デスクランブルシードが信頼できる状態で、デスクランブルを行うことができるので、リアルタイムに映像や音声を再生する光ディスク再生装置に有用である。
【図面の簡単な説明】
【００３８】
【図１】本発明の実施の形態１に係る情報再生装置である光ディスク装置の構成を示すブロック図
【図２】復調回路の構成を示すブロック図
【図３】本発明の実施の形態１において、１ＥＣＣブロック再生処理を示すフローチャート
【図４】本発明の実施の形態１において、図３と異なる例の１ＥＣＣブロック再生処理を示すフローチャート
【図５】ＤＶＤの１セクタフォーマットを示す図
【符号の説明】
【００３９】
１００  光ディスク再生装置（情報再生装置）
１０１  光ディスク
１０２  光ピックアップ
１０３  スピンドルモータ
１０４  ドライバ回路
１０５  サーボブロック
１０６  Ａ／Ｄ変換器
１０７  復調回路
１０８  ＲＡＭインターフェース
１０９  ＣＰＵ
１１０  ＥＣＣ回路
１１１  ＡＶデコーダ
１１２  ＲＡＭ
１１３  ＲＯＭ
１１４  デスクランブルＥＤＣ回路
２０１  ＳＹＮＣ検出部
２０２  ８／１６復調部
２０３  出力部
２０４  ＩＥＤチェック部
２０５  アドレス生成部
５０１  データブロック（セクタ）
５０２  ＤａｔａＩＤ
５０３  セクタ番号
５０４  スクランブルシード
５０５  ＩＥＤ
【図１】
2005302078.tif 000003
【図２】
2005302078.tif 000004
【図３】
2005302078.tif 000005
【図４】
2005302078.tif 000006
【図５】
2005302078.tif 000007